【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
ケース内部に両端が開口した筒状体を備え、該筒状体の内部に繊維状活性炭をバインダーを用いて一定形状に成形した成形活性炭と、濾過膜と、整流板とを収容し、前記ケース内に取り入れた原水を、前記筒状体の入口から出口へ通水することにより浄化する浄水カートリッジであって、
前記筒状体は、その内壁面の少なくとも一部分に、その入口側から出口側に向けて先細り状となるテーパーを備え、
前記成形活性炭は、少なくともその一部が、前記テーパー部分で前記筒状体の内壁面に面で接しており、繊維状活性炭の含有量が８５〜９９％の範囲であり、その充填後密度が０．１５〜０．３０ｇ／ｍｌの範囲であり、
前記濾過膜は、前記筒状体の内部に固定され、
前記整流板は、前記濾過膜と前記成形活性炭との間に配置されていることを特徴とする浄水カートリッジ。
【請求項２】
前記筒状体の断面形状が略円形に形成されるとともに、前記成形活性炭が略円柱状または略円錐台状に形成され、前記成形活性炭の側面が筒状体と接していることを特徴とする請求項１に記載の浄水カートリッジ。
【請求項３】
前記成形活性炭は、前記筒状体の入口側からの圧入によって、前記筒状体に固定されていることを特徴とする請求項１又は２に記載の浄水カートリッジ。
【請求項４】
前記成形活性炭を基準として、前記筒状体の入口側に不織布を設けたことを特徴とする請求項１〜３のいずれか一項に記載の浄水カートリッジ。
【請求項５】
前記整流板には、その中心から、外周部に向けて伸びる複数本のアームが設けられていること特徴とする請求項１〜４のいずれか一項に記載の浄水カートリッジ。
【請求項６】
請求項１〜５のいずれか一項に記載の浄水カートリッジと、浄水吐出口を有する浄水器本体とからなる浄水器。
【請求項７】
前記ケースの外壁および浄水器本体それぞれに対し、いずれか一方に雄コネクタ部を設け、他方にこれに差し込み嵌合される雌コネクタ部を設け、前記雄コネクタ部と前記雌コネクタ部との嵌合により、前記浄水器本体と前記カートリッジとの間の水通路が形成されるとともに前記カートリッジが前記浄水器本体に支持されることを特徴とする請求項６に記載の浄水器。
【手続補正２】
【補正対象書類名】明細書
【補正対象項目名】０００５
【補正方法】変更
【補正の内容】
【０００５】
上記課題を解決するために、請求項１に記載した浄水カートリッジは、ケース（例えば、実施の形態におけるケース１３）内部に両端が開口した筒状体（例えば、実施の形態における筒状体４４）を備え、該筒状体の内部に繊維状活性炭をバインダーを用いて一定形状に成形した成形活性炭（例えば、実施の形態における活性炭５６）と、濾過膜（例えば、実施の形態における中空糸膜５７）と、整流板（例えば、実施の形態における整流板５４）とを収容し、前記ケース内に取り入れた原水を、前記筒状体の入口（例えば、実施の形態における入口４７）から出口（例えば、実施の形態における出口４８）へ通水することにより浄化する浄水カートリッジであって、前記筒状体は、その内壁面の少なくとも一部分に、その入口側から出口側に向けて先細り状となるテーパー（例えば、実施の形態における縮径部５３ａ）を備え、前記成形活性炭は、少なくともその一部が、前記テーパー部分で前記筒状体の内壁面に面で接しており、繊維状活性炭の含有量が８５〜９９％の範囲であり、その充填後密度が０．１５〜０．３０ｇ／ｍｌの範囲であり、前記濾過膜は、前記筒状体の内部に固定され、前記整流板は、前記濾過膜と前記成形活性炭との間に配置されていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項４に記載した浄水カートリッジは、前記成形活性炭を基準として、前記筒状体の入口側に不織布を設けたことを特徴とする。
【手続補正５】
【補正対象書類名】明細書
【補正対象項目名】００１０
【補正方法】変更
【補正の内容】
【００１０】
請求項５に記載した浄水カートリッジは、前記整流板には、その中心から、外周部に向けて伸びる複数本のアーム（例えば、実施の形態におけるアーム部５４ｄ）が設けられていること特徴とする。
【手続補正６】
【補正対象書類名】明細書
【補正対象項目名】００１１
【補正方法】変更
【補正の内容】
【００１１】
請求項６に記載した浄水器は、請求項１〜５のいずれか一項に記載の浄水カートリッジ（例えば、実施の形態における浄水カートリッジ４）と、浄水吐出口を有する浄水器本体（例えば、実施の形態における本体３）とからなることを特徴とする。
【手続補正７】
【補正対象書類名】明細書
【補正対象項目名】００１２
【補正方法】変更
【補正の内容】
【００１２】
請求項７に記載した浄水器は、前記ケースの外壁および浄水器本体それぞれに対し、いずれか一方に雄コネクタ部（例えば、実施の形態における雄コネクタ１４ａ，１４ｂ，１４ｃ）を設け、他方にこれに差し込み嵌合される雌コネクタ部（例えば、実施の形態における雌コネクタ１２ａ，１２ｂ，１２ｃ）を設け、前記雄コネクタ部と前記雌コネクタ部との嵌合により、前記浄水器本体と前記カートリッジとの間の水通路（例えば、実施の形態における浄水通路２６、原水導入通路２７）が形成されるとともに前記カートリッジが前記浄水器本体に支持されることを特徴とする。
【手続補正８】
【補正対象書類名】明細書
【補正対象項目名】００１３
【補正方法】変更
【補正の内容】
【００１３】
請求項１に記載した発明によれば、筒状体の内面にテーパーを設けることで、成形活性炭が、原水の流入によって出口側に変位するのを防止しつつ、成形活性炭の側面をケースによって保持することができるため、衝撃などにより成形活性炭の形状が崩れるのを防止することができる効果がある。
また、成形活性炭の形状が崩れるのを防止することができるため、例えば、従来の成形活性炭に含まれるバインダーの割合よりも、成形活性炭に含まれるバインダーの割合を低下させることができ、したがって、吸着性能を維持したまま小型化を図ることができる。
さらに、成形活性炭がテーパー部分で筒状体の内壁面に面で接しているので、成形活性炭と筒状体の内壁面との間に隙間が生じるのを抑制して原水を成形活性炭内に流過させることができるため、成形活性炭の吸着性能を十分に発揮させることができる。
加えて、成形活性炭における繊維状活性炭の含有量を８５〜９９％の範囲とし充填後密度を０．１５〜０．３０ｇ／ｍｌとすることで、繊維状活性炭の含有量が８５％未満、充填後密度が０．１５ｇ／ｍｌ未満および０．３０ｇ／ｍｌよりも大きい場合と比較して必要とする吸着性能を十分に確保しつつ小型化することができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
請求項４に記載した発明によれば、不織布がプレフィルタとして機能するため、ケース内部に比較的大きな被ろ過物が流入するのを防止することができる。また、不織布によって成形活性炭から出る粉がろ過ユニットのケースの外に流出するのを防止することができる。
【手続補正１１】
【補正対象書類名】明細書
【補正対象項目名】００１８
【補正方法】変更
【補正の内容】
【００１８】
請求項５に記載した発明によれば、アームが複数設けられていることで、筒状体の内部を入口側から出口側へ向かう水流がアームに衝突するため、当該水流が局所的に偏ることなく水を筒状体内に均等に行き渡らせることができ、したがって、成形活性炭と濾過膜の利用効率を向上させることができる効果がある。
【手続補正１２】
【補正対象書類名】明細書
【補正対象項目名】００１９
【補正方法】変更
【補正の内容】
【００１９】
請求項６に記載した発明によれば、活性炭の吸着性能を低下させることなしに浄水カートリッジを小型化することができるため、浄水器自体の小型化を図ることができ、したがって、商品性を向上させることができる効果がある。
【手続補正１３】
【補正対象書類名】明細書
【補正対象項目名】００２０
【補正方法】変更
【補正の内容】
【００２０】
請求項７に記載した発明によれば、浄水器本体とカートリッジとを結合するために設けられた雄コネクタ部と雌コネクタ部とが、それぞれ水通路を構成していることで、従来の浄水器のように結合手段と通路とを個別に設けている場合よりも、結合手段を配置するスペースを省略できる分だけ浄水器の本体とカートリッジとを接近配置させることができ、したがって、浄水器の寸法を短縮して浄水器の小型化を図ることができる効果がある。